(57)【要約】  測定された照明光の分光放射照度と、太陽電池の分光感度を含む太陽電池情報とに基づいて、照明光で照明された太陽電池の理論短絡電流値を演算し、測定された太陽電池の短絡電流値と、演算された太陽電池の理論短絡電流値とを表示することで、照明光の分光放射照度の違いに関わらず、太陽電池の性能を評価することのできる太陽電池評価装置および太陽電池評価方法を提供することができる。
2011114838.tif 000002
【特許請求の範囲】
【請求項１】
太陽電池の性能評価を行う太陽電池評価装置であって、
照明光の分光放射照度を測定する測定部と、
前記太陽電池の分光感度を含む太陽電池情報を記憶する記憶部と、
前記分光放射照度と、前記太陽電池情報とに基づいて、前記太陽電池の理論短絡電流値を演算する演算部とを備えたことを特徴とする太陽電池評価装置。
【請求項２】
前記演算部は、
以下の（２式）に従って、前記理論短絡電流値を演算することを特徴とする請求項１に記載の太陽電池評価装置。
ここに、
Ｉｓｃｉ＝∫Ｐ（λ）・Ｌｖ（λ）ｄλ・・・（２式）
Ｉｓｃｉ：太陽電池の理論短絡電流値
Ｐ（λ）：太陽電池の分光感度
Ｌｖ（λ）：太陽電池の受光面上での照明光の分光放射照度
λ：照明光の波長
である。
【請求項３】
前記照明光で照明された前記太陽電池の短絡電流値を測定する第２測定部と、
前記短絡電流値と前記理論短絡電流値とを表示する表示部とを備えたことを特徴とする請求項１に記載の太陽電池評価装置。
【請求項４】
前記照明光で照明された前記太陽電池の短絡電流値を測定する第２測定部と、
前記短絡電流値と前記理論短絡電流値とを出力する出力部とを備えたことを特徴とする請求項１に記載の太陽電池評価装置。
【請求項５】
前記照明光で照明された前記太陽電池の短絡電流値を測定する第２測定部と、
前記短絡電流値が、前記理論短絡電流値に対して所定の範囲内にある場合に、前記太陽電池が正常であると判断する評価部とを備えたことを特徴とする請求項１に記載の太陽電池評価装置。
【請求項６】
前記記憶部は、複数の異なる太陽電池の太陽電池情報を記憶しており、
前記記憶部に記憶されている複数の異なる前記太陽電池情報から、評価対象の太陽電池の太陽電池情報を選択する選択部を備えたことを特徴とする請求項１に記載の太陽電池評価装置。
【請求項７】
前記測定部の受光面の向きを、前記太陽電池の受光面の向きと略同一となるように調整する角度調整部を備えたことを特徴とする請求項１に記載の太陽電池評価装置。
【請求項８】
太陽電池の性能評価を行う太陽電池評価方法であって、
事前に記憶された前記太陽電池の分光感度を含む太陽電池情報を読み出す読出工程と、
照明光の分光放射照度を測定する第１測定工程と、
前記分光放射照度と、前記太陽電池情報とに基づいて、前記太陽電池の理論短絡電流値を演算する演算工程とを備えたことを特徴とする太陽電池評価方法。
【請求項９】
前記演算工程は、
以下の（２式）に従って、前記理論短絡電流値を演算する工程であることを特徴とする請求項８に記載の太陽電池評価方法。ここに、
Ｉｓｃｉ＝∫Ｐ（λ）・Ｌｖ（λ）ｄλ・・・（２式）
Ｉｓｃｉ：太陽電池の理論短絡電流値
Ｐ（λ）：太陽電池の分光感度
Ｌｖ（λ）：太陽電池の受光面上での照明光の分光放射照度
λ：照明光の波長
である。
【請求項１０】
前記照明光で照明された前記太陽電池の短絡電流値を測定する第２測定工程と、
前記短絡電流値と前記理論短絡電流値とを表示する表示工程とを有することを特徴とする請求項８に記載の太陽電池評価方法。
【請求項１１】
前記照明光で照明された前記太陽電池の短絡電流値を測定する第２測定工程と、
前記短絡電流値と前記理論短絡電流値とを出力する出力工程とを有することを特徴とする請求項８に記載の太陽電池評価方法。
【請求項１２】
前記照明光で照明された前記太陽電池の短絡電流値を測定する第２測定工程と、
前記短絡電流値が、前記理論短絡電流値に対して所定の範囲内にある場合に、前記太陽電池が正常であると判断する評価工程とを有することを特徴とする請求項８に記載の太陽電池評価方法。
【請求項１３】
前記読出工程は、
事前に記憶された複数の異なる太陽電池情報の中から、評価対象の太陽電池の太陽電池情報を選択して読み出す工程であることを特徴とする請求項８に記載の太陽電池評価方法。
【請求項１４】
前記第１測定工程は、
前記分光放射照度の測定に用いられる測定部の受光面の向きを、前記太陽電池の受光面の向きと略同一となるように調整して、照明光の前記分光放射照度を測定する工程であることを特徴とする請求項８に記載の太陽電池評価方法。
【発明の詳細な説明】
【技術分野】
【０００１】
本発明は、太陽電池評価装置および太陽電池評価方法に関し、特に実際の太陽電池の設置現場で用いられる太陽電池評価装置および太陽電池評価方法に関する。
【背景技術】
【０００２】
昨今の環境問題およびエネルギー問題への対応として、太陽電池の開発が盛んで、材料として、従来の単結晶シリコンから、アモルファスシリコン、薄膜シリコン、有機化合物、色素増感型などの多くの種類が開発されており、構造的にも、従来の単接合から積層型の多接合まで多くの構造が開発されている。【０００３】
そこで、この太陽電池の光電変換効率を公正に評価するために、評価方法が、国際的に標準化された評価方法の規格であるＩＥＣ６０９０４や、ＪＩＳ規格（Ｃ８９０５〜Ｃ８９９１）で定義されている。その規格を要約すると、基準太陽光の照明下で、太陽電池の発電量の定格を測定するようになっている。【０００４】
ここで、基準太陽光とは、地表に垂直入射する太陽光をエアマス（以下、ＡＭと言う）１．０の太陽光として、ＡＭ１．０の太陽光の１．５倍の光路長を持って地表に斜め入射する太陽光、即ちＡＭ１．５の太陽光のことである。概略では、地表からの仰角４１．８°の太陽からの光であり、日本では快晴の春および秋の太陽光が、比較的この基準太陽光に近い。【０００５】
このように、基準太陽光の照明条件が実際に得られるのは、年に数回しかなく、非常にまれな条件であり、太陽電池を設置した場所、日時での太陽光の光量や分光放射照度はその時々で変化する。【０００６】
その結果、実際の太陽電池の設置現場で測定される発電量は、設置した太陽電池のカタログに記載されている発電量の定格とは異なった値となることが多く、設置した太陽電池が正常に発電しているのか否かを設置現場で判断することが難しかった。【０００７】
そこで、例えば特許文献１では、太陽電池の設置現場で測定される太陽電池の発電量を、日射計で測定される日射量を用いて補正する方法が開示されている。
【先行技術文献】
【特許文献】
【０００８】
【特許文献１】特開２００７−３１１４８７号公報
【発明の概要】
【発明が解決しようとする課題】
【０００９】
しかしながら、特許文献１に示された方法では、日射計を用いて太陽電池の発電量を補正しているために、日射計のセンサの分光感度と設置された太陽電池の分光感度との差に起因する発電量の差が考慮されず、誤差が発生する。【００１０】
日射計のセンサとして用いられるサーモパイルＴＰの分光感度は、図３に実線で示すように、可視光から近赤外光（波長λ＝３００ｎｍ〜１１００ｎｍ）の範囲でほぼフラットな特性を示す。図３は、デバイスの相対分光感度を示す模式図である。【００１１】
一方、単結晶シリコンの太陽電池ｃ−Ｓｉの場合は、図３に破線で示すように、近赤外光（波長λ＝８００ｎｍ〜９００ｎｍ）にピークを持つ特性を示す。さらに、アモルファスシリコンの太陽電池ａ−Ｓｉの場合は、図３に一点鎖線で示すように、可視光（波長λ＝３００ｎｍ〜７００ｎｍ）のみに感度を持つ特性を示す。【００１２】
従って、例えばアモルファスシリコンの太陽電池ａ−Ｓｉの発電量を、基準太陽光の照明下で日射計を用いて補正したとしても、設置現場での実際の太陽光の分光放射照度が基準太陽光の分光放射照度と異なるために、特に太陽光の近赤外領域の分光放射照度の違いによって、設置現場での実際の発電量は大きく異なることになる。【００１３】
本発明は、上記事情に鑑みてなされたもので、照明光の分光放射照度の違いに関わらず、太陽電池の性能を評価することのできる太陽電池評価装置および太陽電池評価方法を提供することを目的とする。
【課題を解決するための手段】
【００１４】
本発明の目的は、下記構成により達成することができる。【００１５】
１．太陽電池の性能評価を行う太陽電池評価装置であって、
照明光の分光放射照度を測定する測定部と、
前記太陽電池の分光感度を含む太陽電池情報を記憶する記憶部と、
前記分光放射照度と、前記太陽電池情報とに基づいて、前記太陽電池の理論短絡電流値を演算する演算部とを備えたことを特徴とする太陽電池評価装置。【００１６】
２．前記演算部は、
以下の（２式）に従って、前記理論短絡電流値を演算することを特徴とする前記１に記載の太陽電池評価装置。
ここに、
Ｉｓｃｉ＝∫Ｐ（λ）・Ｌｖ（λ）ｄλ・・・（２式）
Ｉｓｃｉ：太陽電池の理論短絡電流値
Ｐ（λ）：太陽電池の分光感度
Ｌｖ（λ）：太陽電池の受光面上での照明光の分光放射照度
λ：照明光の波長
である。【００１７】
３．前記照明光で照明された前記太陽電池の短絡電流値を測定する第２測定部と、
前記短絡電流値と前記理論短絡電流値とを表示する表示部とを備えたことを特徴とする前記１に記載の太陽電池評価装置。【００１８】
４．前記照明光で照明された前記太陽電池の短絡電流値を測定する第２測定部と、
前記短絡電流値と前記理論短絡電流値とを出力する出力部とを備えたことを特徴とする前記１に記載の太陽電池評価装置。【００１９】
５．前記照明光で照明された前記太陽電池の短絡電流値を測定する第２測定部と、
前記短絡電流値が、前記理論短絡電流値に対して所定の範囲内にある場合に、前記太陽電池が正常であると判断する評価部とを備えたことを特徴とする前記１に記載の太陽電池評価装置。【００２０】
６．前記記憶部は、複数の異なる太陽電池の太陽電池情報を記憶しており、
前記記憶部に記憶されている複数の異なる前記太陽電池情報から、評価対象の太陽電池の太陽電池情報を選択する選択部を備えたことを特徴とする前記１に記載の太陽電池評価装置。【００２１】
７．前記測定部の受光面の向きを、前記太陽電池の受光面の向きと略同一となるように調整する角度調整部を備えたことを特徴とする前記１に記載の太陽電池評価装置。【００２２】
８．太陽電池の性能評価を行う太陽電池評価方法であって、
事前に記憶された前記太陽電池の分光感度を含む太陽電池情報を読み出す読出工程と、
照明光の分光放射照度を測定する第１測定工程と、
前記分光放射照度と、前記太陽電池情報とに基づいて、前記太陽電池の理論短絡電流値を演算する演算工程とを備えたことを特徴とする太陽電池評価方法。【００２３】
９．前記演算工程は、
以下の（２式）に従って、前記理論短絡電流値を演算する工程であることを特徴とする前記８に記載の太陽電池評価方法。ここに、
Ｉｓｃｉ＝∫Ｐ（λ）・Ｌｖ（λ）ｄλ・・・（２式）
Ｉｓｃｉ：太陽電池の理論短絡電流値
Ｐ（λ）：太陽電池の分光感度
Ｌｖ（λ）：太陽電池の受光面上での照明光の分光放射照度
λ：照明光の波長
である。【００２４】
１０．前記照明光で照明された前記太陽電池の短絡電流値を測定する第２測定工程と、
前記短絡電流値と前記理論短絡電流値とを表示する表示工程とを有することを特徴とする前記８に記載の太陽電池評価方法。【００２５】
１１．前記照明光で照明された前記太陽電池の短絡電流値を測定する第２測定工程と、
前記短絡電流値と前記理論短絡電流値とを出力する出力工程とを有することを特徴とする前記８に記載の太陽電池評価方法。【００２６】
１２．前記照明光で照明された前記太陽電池の短絡電流値を測定する第２測定工程と、
前記短絡電流値が、前記理論短絡電流値に対して所定の範囲内にある場合に、前記太陽電池が正常であると判断する評価工程とを有することを特徴とする前記８に記載の太陽電池評価方法。【００２７】
１３．前記読出工程は、
事前に記憶された複数の異なる太陽電池情報の中から、評価対象の太陽電池の太陽電池情報を選択して読み出す工程であることを特徴とする前記８に記載の太陽電池評価方法。【００２８】
１４．前記第１測定工程は、
前記分光放射照度の測定に用いられる測定部の受光面の向きを、前記太陽電池の受光面の向きと略同一となるように調整して、照明光の前記分光放射照度を測定する工程であることを特徴とする前記８に記載の太陽電池評価方法。
【発明の効果】
【００２９】
本発明によれば、測定された照明光の分光放射照度と、太陽電池の分光感度を含む太陽電池情報とに基づいて、太陽電池の理論短絡電流値を演算することで、照明光の分光放射照度の違いに関わらず、太陽電池の性能を評価することのできる太陽電池評価装置および太陽電池評価方法を提供することができる。
【図面の簡単な説明】
【００３０】
【図１】太陽電池評価装置の実施の形態の構成の一例を示すブロック図である。
【図２】太陽電池評価装置の実施の形態の動作の一例を示す工程図である。
【図３】デバイスの相対分光感度を示す模式図である。
【発明を実施するための形態】
【００３１】
以下、本発明を図示の実施の形態に基づいて説明するが、本発明は該実施の形態に限らない。なお、図中、同一あるいは同等の部分には同一の番号を付与し、重複する説明は省略することがある。
【００３２】
最初に、本発明における太陽電池評価装置の実施の形態について、図１を用いて説明する。図１は、太陽電池評価装置の実施の形態の構成の一例を示すブロック図である。
【００３３】
図１において、太陽電池評価装置１は、制御部１０、測定部３０、角度調整部４０および電流電圧計５０等で構成され、太陽電池６０の性能評価を行うための装置である。太陽電池評価装置１は、上述した各構成要素が一体化されて構成されてもよいし、個々の構成要素が接続されて構成されてもよい。
【００３４】
制御部１０は、入力部１１、ＣＰＵ１２、記憶部１３、インターフェース（以下、Ｉ／Ｆと言う）部１４、表示部１５および出力部１７等で構成され、各部は、バス１６を介して、あるいは直接に接続される。入力部１１は、例えばテンキーや表示部１５の表示面上に設けられたタッチパネル等であり、各種の情報や指示の入力あるいは選択等を行う。
【００３５】
ＣＰＵ１２は、例えばマイクロコンピュータであり、記憶部１３に記憶されたプログラムに従って太陽電池評価装置１の動作を制御する。ＣＰＵ１２は、設置現場での太陽電池６０の理論短絡電流値Ｉｓｃｉを演算する演算部１２１を有している。
【００３６】
記憶部１３は、例えばＲＯＭ、ＲＡＭおよびハードディスク等の記憶部材であり、太陽電池評価装置１の動作を制御するためのプログラムを記憶し出力する。記憶部１３は、事前に測定された太陽電池６０の分光感度Ｐ（λ）を含む太陽電池情報Ｉｐｖを記憶する太陽電池情報記憶部１３１を有している。
【００３７】
Ｉ／Ｆ部１４は、制御部１０と、測定部３０および電流電圧計５０とを接続するとともに、出力部１７から出力される、後述する太陽電池６０や測定部３０の出力、あるいは演算部１２１で演算された理論短絡電流値Ｉｓｃｉ等を、例えばパーソナルコンピュータ等の外部機器７０に出力するためのインターフェースである。
【００３８】
表示部１５は例えば液晶モニタであり、後述する太陽電池６０や測定部３０の出力、あるいは演算部１２１で演算された理論短絡電流値Ｉｓｃｉ等の各種の入出力データや演算結果を表示する。
【００３９】
出力部１７は、後述する太陽電池６０や測定部３０の出力、あるいは演算部１２１で演算された理論短絡電流値Ｉｓｃｉ等の各種の入出力データや演算結果を、Ｉ／Ｆ部１４を介して、外部機器７０に出力する。
【００４０】
測定部３０は、入射光の分光スペクトルを測定する分光放射計で、受光面３１に入射する照明光Ｌの分光放射照度Ｌｓｐ（λ）を測定する。測定部３０は、Ｉ／Ｆ部１４を介して制御部１０に接続される。
【００４１】
角度調整部４０は、少なくとも１軸方向に自在に回動可能な台を有し、台上に測定部３０を搭載して、測定部３０の受光面３１の向きが太陽電池６０の受光面６１の向きと略同一となるように、測定部３０の受光面３１の向きを変化させる。これによって、測定部３０は、太陽電池６０と同じ条件での照明光Ｌの分光放射照度Ｌｓｐ（λ）を測定することができる。即ち、太陽電池６０の受光面６１上での照明光Ｌの分光放射照度をＬｖ（λ）とすると、
Ｌｖ（λ）＝Ｌｓｐ（λ）
である。
【００４２】
角度調整部４０を用いない場合は、測定部３０で測定される照明光Ｌの分光放射照度Ｌｓｐ（λ）と、太陽電池６０の受光面６１上での照明光Ｌの分光放射照度Ｌｖ（λ）とは、一般には一致しない。そこで、照明光Ｌの測定部３０の受光面３１への入射角αと、太陽電池６０の受光面６１への入射角βとを測定し、測定部３０で測定される照明光Ｌの分光放射照度Ｌｓｐ（λ）から太陽電池６０の受光面６１上での照明光Ｌの分光放射照度Ｌｖ（λ）を求める。ただし、ここで言う入射角とは、受光面の法線と照明光Ｌとのなす角度のことである。
【００４３】
照明光Ｌに垂直な面上での照明光Ｌの分光放射照度をＬ（λ）とすると、太陽電池６０の受光面６１上での照明光Ｌの分光放射照度Ｌｖ（λ）は、
Ｌｖ（λ）＝Ｌ（λ）・ｃｏｓβ
であり、測定部３０の受光面３１上での照明光Ｌの分光放射照度Ｌｓｐ（λ）は、
Ｌｓｐ（λ）＝Ｌ（λ）・ｃｏｓα
である。従って、
Ｌｖ（λ）＝Ｌｓｐ（λ）・ｃｏｓβ／ｃｏｓα・・・（１式）
である。
【００４４】
電流電圧計５０は、太陽電池６０の電流電圧特性（以下、Ｉ−Ｖ特性と言う）を測定するための測定器であり、短絡電流値、開放電圧値、発電量等の特性を測定でき、Ｉ／Ｆ部１４を介して制御部１０に接続される。ここに、電流電圧計５０は、本発明における第２測定部として機能する。
【００４５】
評価対象の太陽電池６０は、例えば家屋の屋根の上等に設置されており、太陽Ｓからの照明光Ｌを光電変換して、発電を行う。照明光Ｌは、太陽Ｓの光に限るものではなく、例えば評価対象の太陽電池６０が屋内に設置されて、蛍光灯やＬＥＤ照明等の照明光Ｌで照明されていてもよい。
【００４６】
次に、本発明における太陽電池評価装置の実施の形態の動作について、図２を用いて説明する。図２は、太陽電池評価装置の実施の形態の動作の一例を示す工程図である。
【００４７】
図２において、ステップＳ１１（読出工程）で、入力部１１を用いて、記憶部１３の太陽電池情報記憶部１３１に記憶された複数の太陽電池情報Ｉｐｖの中から、評価対象の太陽電池の太陽電池情報Ｉｐｖが選択され、読み出される。ここに、入力部１１は、本発明における選択部として機能する。
【００４８】
太陽電池情報Ｉｐｖとは、複数の異なる太陽電池６０に関する情報であり、複数の異なる太陽電池６０毎に、少なくとも太陽電池６０の分光感度Ｐ（λ）を含み、太陽電池メーカから供給されるデータを収集したり、自社で測定したデータを蓄積したりして作成される。
【００４９】
ステップＳ１２（第１測定工程）で、測定部３０を用いて、照明光Ｌの分光放射照度Ｌｓｐ（λ）が測定される。この際に、測定部３０の受光面３１の向きが太陽電池６０の受光面６１の向きと略同一となるように、角度調整部４０によって、測定部３０の受光面３１の向きが調整される。これによって、測定部３０は、太陽電池６０と同じ条件での照明光Ｌの分光放射照度Ｌｓｐ（λ）を測定することができる。即ち、太陽電池６０の受光面６１上での照明光Ｌの分光放射照度Ｌｖ（λ）＝測定部３０で測定された照明光Ｌの分光放射照度Ｌｓｐ（λ）である。
【００５０】
ステップＳ１３（演算工程）で、ステップＳ１１で読み出された評価対象の太陽電池６０の太陽電池情報Ｉｐｖの中の分光感度Ｐ（λ）と、ステップＳ１２で測定された照明光Ｌの分光放射照度Ｌｓｐ（λ）、即ち太陽電池６０の受光面６１上での照明光Ｌの分光放射照度Ｌｖ（λ）とを用いて、以下の（２式）に従って、評価対象の太陽電池６０の理論短絡電流値Ｉｓｃｉが演算される。ここに、
Ｉｓｃｉ＝∫Ｐ（λ）・Ｌｖ（λ）ｄλ・・・（２式）
Ｉｓｃｉ：太陽電池６０の理論短絡電流値
Ｐ（λ）：太陽電池６０の分光感度
Ｌｖ（λ）：太陽電池６０の受光面６１上での照明光Ｌの分光放射照度（＝Ｌｓｐ（λ））
λ：照明光Ｌの波長
である。
【００５１】
なお、角度調整部４０を用いない場合は、照明光Ｌの測定部３０の受光面３１への入射角αと、太陽電池６０の受光面６１への入射角βとを測定し、測定部３０で測定された照明光Ｌの分光放射照度Ｌｓｐ（λ）を上述した（１式）に従って補正したＬｖ（λ）を用いればよい。
【００５２】
ステップＳ１４（第２測定工程）で、電流電圧計５０を用いて、照明光Ｌで照明された状態での太陽電池６０の短絡電流値Ｉｓｃが測定される。なお、ステップＳ１２とＳ１４とは並行して行われてもよい。それによって、全く同一の照明条件下で、照明光Ｌの分光放射照度Ｌｓｐ（λ）と太陽電池６０の短絡電流値Ｉｓｃとを測定することができる。
【００５３】
ステップＳ１５（表示工程）で、ステップＳ１３で演算された太陽電池６０の理論短絡電流値Ｉｓｃｉと、ステップＳ１４で測定された太陽電池６０の短絡電流値Ｉｓｃとが、表示部１５に表示される。測定者は、表示された理論短絡電流値Ｉｓｃｉと短絡電流値Ｉｓｃとに基づいて、太陽電池６０が正常に発電しているか否かを判断することができる。
【００５４】
また、ステップＳ１５の代わりにステップＳ１６（出力工程）を設け、理論短絡電流値Ｉｓｃｉと短絡電流値Ｉｓｃとを、出力部１７からＩ／Ｆ部１４を介して外部機器７０に出力してもよい。
【００５５】
あるいは、ステップＳ１５の代わりにステップＳ１７（評価工程）を設け、制御部１０のＣＰＵ１２で、理論短絡電流値Ｉｓｃｉと短絡電流値Ｉｓｃとに基づいて、太陽電池６０の性能評価を行ってもよい。例えば、
Ｉｓｃｉ−ａ≦Ｉｓｃ≦Ｉｓｃｉ＋ｂ
ただし、ａ、ｂは、適宜決定される所定の許容誤差
である場合に、太陽電池６０が正常に発電していると判断する。ここに、制御部１０のＣＰＵ１２は、本発明における評価部として機能する。
【００５６】
また、上述したステップＳ１５、Ｓ１６およびＳ１７の内の何れか２つの工程あるいは３つの工程全てを備えてもよい。
【００５７】
上述したように、本発明における太陽電池評価装置の実施の形態によれば、太陽電池を照明している照明光の分光放射照度と、太陽電池の分光感度とに基づいて、照明光で照明された太陽電池の理論短絡電流値を演算し、測定された太陽電池の短絡電流値が、演算された太陽電池の理論短絡電流値に対して許容誤差の範囲内にある場合に、太陽電池が正常に発電していると判断することで、照明光の分光放射照度の違いに関わらず、太陽電池の良否を判定することができ、太陽電池の設置現場での太陽電池の良否確認や、設置後の定期メンテナンス時の故障確認等に用いることのできる太陽電池評価装置および太陽電池評価方法を提供することができる。
【００５８】
以上に述べたように、本発明によれば、測定された照明光の分光放射照度と、太陽電池の分光感度を含む太陽電池情報とに基づいて、太陽電池の理論短絡電流値を演算することで、照明光の分光放射照度の違いに関わらず、太陽電池の性能を評価することのできる太陽電池評価装置および太陽電池評価方法を提供することができる。
【００５９】
なお、本発明に係る太陽電池評価装置および太陽電池評価方法を構成する各構成の細部構成および細部動作に関しては、本発明の趣旨を逸脱することのない範囲で適宜変更可能である。
【符号の説明】
【００６０】
１  太陽電池評価装置
１０  制御部
１１  入力部
１２  ＣＰＵ
１２１  演算部
１３  記憶部
１３１  太陽電池情報記憶部
１４  インターフェース（Ｉ／Ｆ）部
１５  表示部
３０  測定部
４０  角度調整部
５０  電流電圧計
６０  （評価対象の）太陽電池
Ｌ  （太陽電池６０を照明する）照明光
Ｉｓｃｉ  太陽電池６０の理論短絡電流値
Ｐ（λ）  太陽電池６０の分光感度
Ｌｓｐ（λ）  （測定部３０で測定された）入射光Ｌの分光放射照度
Ｉｓｃ  太陽電池６０の短絡電流値
【図１】
2011114838.tif 000003
【図２】
2011114838.tif 000004
【図３】
2011114838.tif 000005
【国際調査報告】
2011114838.tif 000006
2011114838.tif 000007